(57)【要約】【課題】  圧縮して減容化したゴミをゴミ受け本体から容易に除去し得るゴミ受け装置を提供する。【解決手段】  水受け部材２の底面部に開設した排水口３に取り付けて内部にゴミを捕捉させる有底筒状のゴミ受け本体４と、ゴミ受け本体４の筒側面４ａに穿設されてゴミ受け本体４内の排水を外部に排水させる排水孔５と、排水孔５の無いゴミ受け本体４の筒底面４ｂ上に堆積したゴミを上方から押圧するゴミ圧縮手段６とを備える。【選択図】        図１
2009051646.tif 000002
【特許請求の範囲】
【請求項１】
水受け部材の底面部に開設した排水口に取り付けて内部にゴミを捕捉させる有底筒状のゴミ受け本体と、ゴミ受け本体の筒側面に穿設されてゴミ受け本体内の排水を外部に排水させる排水孔と、排水孔の無いゴミ受け本体の筒底面上に堆積したゴミを上方から押圧するゴミ圧縮手段とを備えて成ることを特徴とするゴミ受け装置。
【請求項２】
ゴミ受け本体に排水口の上縁よりも上方に位置する上方開口を備え、ゴミ受け本体の筒側面における排水口の上縁よりも上方に位置する排水口外筒側面部にゴミ受け本体内に水受け部材の排水を流入させる流入孔を穿設し、ゴミ受け本体の筒側面における排水口の内部に位置する排水口内筒側面部にゴミ受け本体内の排水を本体外方の排水口内に排水させる排水孔を穿設し、ゴミ受け本体の上方開口を閉塞する蓋体を備えると共に、この蓋体でゴミ圧縮手段を構成したことを特徴とする請求項１記載のゴミ受け装置。
【請求項３】
流入孔を排水口の上縁高さと略同高さ位置に設けたことを特徴とする請求項２記載のゴミ受け装置。
【請求項４】
ゴミ受け本体の表面に撥水性処理を施したことを特徴とする請求項１乃至３のいずれか一項に記載のゴミ受け装置。
【請求項５】
水受け部材の底面から下方に凹没させた凹底面に対して排水口を開設したことを特徴とする請求項１乃至４のいずれか一項に記載のゴミ受け装置。
【請求項６】
ゴミ受け本体をその上端が排水口の上縁よりも上方に位置するように排水口内に取り付けるようにし、排水口の上縁からゴミ受け本体の上端までの突出高さを凹底面の凹没深さに比べて長く形成したことを特徴とする請求項５記載のゴミ受け装置。
【発明の詳細な説明】
【技術分野】
【０００１】
本発明は、ゴミ受け装置に関するものである。
【背景技術】
【０００２】
従来から、キッチンシンクなどの水受け部材の排水口には調理屑などのゴミを捕捉するゴミ受け装置１が設置されており、このゴミ受け装置１にはたとえば図４のようなものが知られている（特許文献１参照）。
【０００３】
この図４のゴミ受け装置１は、排水口３に取り付けられて調理屑などのゴミを捕捉する有底筒状のゴミ受け本体４を有し、このゴミ受け本体４には筒側面４ａのみならず筒底面４ｂにもゴミ受け本体４の内部の排水を外部へ排水する排水孔５を有した網カゴ４０が用いられ、ゴミ受け本体４の筒底面４ｂ上に堆積したゴミを上方から押圧するゴミ圧縮手段６とを備えて構成されている。
【０００４】
このゴミ受け装置１は、ゴミ圧縮手段６によってゴミ受け本体４の筒底面４ｂ上に堆積されるゴミを圧縮して減容化できるのではあるが、ゴミ圧縮手段６で押圧されてゴミ受け本体４の筒底面４ｂに押し付けられたゴミはゴミ受け本体４の筒底面４ｂに在る排水孔５内に押し込められてしまい、ゴミが排水孔５に引っ掛かってゴミ受け本体４からゴミを除去するのが困難になる、という問題があった。
【特許文献１】特開２００２−１４５４０２号公報
【発明の開示】
【発明が解決しようとする課題】
【０００５】
本発明は上記の点に鑑みてなされたものであり、その目的とするところは、圧縮して減容化したゴミをゴミ受け本体から容易に除去し得るゴミ受け装置を提供することにある。
【課題を解決するための手段】
【０００６】
上記課題を解決するために請求項１に係るゴミ受け装置にあっては、水受け部材２の底面部に開設した排水口３に取り付けて内部にゴミを捕捉させる有底筒状のゴミ受け本体４と、ゴミ受け本体４の筒側面４ａに穿設されてゴミ受け本体４内の排水を外部に排水させる排水孔５と、排水孔５の無いゴミ受け本体４の筒底面４ｂ上に堆積したゴミを上方から押圧するゴミ圧縮手段６とを備えて成ることを特徴とする。
【０００７】
これによると、ゴミ受け本体４の筒底面４ｂには排水孔５が無いので、ゴミ圧縮手段６によってゴミ受け本体４の筒底面４ｂに押し付けられて減容化されたゴミはゴミ受け本体４の筒底面４ｂに引っ掛かることが無く、減容化したゴミをゴミ受け本体４から容易に除去することができる。
【０００８】
また、請求項２に係るゴミ受け装置にあっては、請求項１において、ゴミ受け本体４に排水口３の上縁よりも上方に位置する上方開口４ｃを備え、ゴミ受け本体４の筒側面４ａにおける排水口３の上縁よりも上方に位置する排水口外筒側面部４ａ１にゴミ受け本体４内に水受け部材２の排水を流入させる流入孔７を穿設し、ゴミ受け本体４の筒側面４ａにおける排水口３の内部に位置する排水口内筒側面部４ａ２にゴミ受け本体４内の排水を排水口３内に排水させる排水孔５を穿設し、ゴミ受け本体４の上方開口４ｃを閉塞する蓋体８を備えると共に、この蓋体８でゴミ圧縮手段６を構成したことを特徴とする。
【０００９】
これによると、ゴミ受け本体４内のゴミを蓋体８で隠匿することができて排水口３に良好な外観を確保できると共に、この蓋体８でゴミ圧縮手段６を構成したので装置構成の簡略化を図ることができ、また、この蓋体８でゴミ受け本体４の上方開口４ｃを閉塞しても水受け部材２からの排水やゴミは流入孔７を経てゴミ受け本体４内に至らせることができる。
【００１０】
また、請求項３に係るゴミ受け装置にあっては、請求項２において、流入孔７を排水口３の上縁高さと略同高さ位置に設けたことを特徴とする。これによると、流入孔７を経て水受け部材２の排水をゴミ受け本体４内にスムーズに流入させることができる。
【００１１】
また、請求項４に係るゴミ受け装置にあっては、請求項１乃至３のいずれか一項において、ゴミ受け本体４の表面に撥水性処理を施したことを特徴とする。これによると、付与された撥水性によってゴミ受け本体４の表面へのゴミの付着を防止でき、ゴミ受け本体４からのゴミの除去性能を向上できる。
【００１２】
また、請求項５に係るゴミ受け装置にあっては、請求項１乃至４のいずれか一項において、水受け部材２の底面１１から下方に凹没させた凹底面９に対して排水口３を開設したことを特徴とする。これによると、水受け部材２の排水を確実に排水口３に集めて排水できる。
【００１３】
また、請求項６に係るゴミ受け装置にあっては、請求項５において、ゴミ受け本体４をその上端が排水口３の上縁よりも上方に位置するように排水口３内に取り付けるようにし、排水口３の上縁からゴミ受け本体４の上端までの突出高さＡを凹底面９の凹没深さＢに比べて長く形成したことを特徴とする。
【００１４】
これによると、水受け部材２の底面１１より上方位置にゴミ受け本体４の上方開口４ｃを位置させることができるから、この上方開口４ｃから水受け部材２の排水をオーバーフローさせてゴミ受け本体４内に流入させることができて、水受け部材２の排水の良好な排水効率を確保できる。
【発明の効果】
【００１５】
本発明にあっては、ゴミ圧縮手段によってゴミ受け本体の筒底面に押し付けられて減容化されたゴミはゴミ受け本体の筒底面に引っ掛かることが無く、減容化したゴミをゴミ受け本体から容易に除去することができる、という利点を有する。
【発明を実施するための最良の形態】
【００１６】
以下、本発明を添付図面に示す実施形態に基いて説明する。
【００１７】
本例のゴミ受け装置１は、図１のように、水受け部材２の底面部に開設した排水口３内に配置して内部にゴミを捕捉させる有底円筒状のゴミ受け本体４と、ゴミ受け本体４の筒側面４ａに穿設されてゴミ受け本体４内の排水を排水口３に排水させる排水孔５と、排水孔５の無いゴミ受け本体４の筒底面４ｂ上に堆積したゴミを上方から押圧するゴミ圧縮手段６とが備えられている。なお、本例の水受け部材２は上方に開口せるキッチンシンク２０であり、ゴミ受け本体４で捕捉するゴミとしては調理の際に出る野菜の切り屑等の調理屑を想定している。また、本例のキッチンシンク２０ではその底面１１から下方に凹没させた凹底面９を有し、この凹底面９にその下流端で排水管（図示せず）に連通される鉛直管状の排水口３の上流端が開設されている。
【００１８】
詳しくは、ゴミ受け本体４は上方開口４ｃを有する有底円筒状に形成されており、図１（ａ）のように、その筒側面４ａには外方へ突出するフランジ１０が形成されており、このフランジ１０を排水口３の上縁（キッチンシンク２０の凹底面９上）に載置させることで、上部を残してゴミ受け本体４の大部分が排水口３内に没するようにして排水口３に着脱自在に配置される。ゴミ受け本体４の筒側面４ａにおける排水口３の上縁よりも上方に位置する排水口外筒側面部４ａ１には、ゴミ受け本体４内にキッチンシンク２０の排水を流入させる流入孔７が穿設されている。また、ゴミ受け本体４の筒側面４ａにおける排水口３の内部に位置する排水口内筒側面部４ａ２には、ゴミ受け本体４内の排水を本体外方の排水口３内に排水させる排水孔５が穿設されている。しかして、水受け部材２であるキッチンシンク２０の排水が排水口３に排水される際には、キッチンシンク２０の排水はキッチンシンク２０の底面１１から凹底面９に流下して集められ、ゴミ受け本体４の流入孔７を通ってゴミ受け本体４内に流れ込み、その後、ゴミ受け本体４の排水口３からゴミ受け本体４の外方（すなわち排水口３）に排水されるようになっている。
【００１９】
ここで、上記流入孔７はゴミ受け本体４の排水口外筒側面部４ａ１においてその周回方向に一定間隔ごとに複数個穿設されており、キッチンシンク２０の凹底面９と略同高さ位置に配置されている。詳しくは流入孔７の下縁がキッチンシンク２０の凹底面９と略同高さ位置に位置している。しかして、キッチンシンク２０の底面１１から凹底面９に集められたキッチンシンク２０の排水は滞り無く流入孔７を経てゴミ受け本体４内に流れ込み得るようになっている。
【００２０】
また、排水孔５は流入孔７に比べて充分に小さい小孔である。しかして、流入孔７を経てゴミ受け本体４内に流れ込むキッチンシンク２０の排水にはゴミも含まれるが、排水孔５ではゴミを極力通さずに排水のみを排水口３に至らせ、つまりゴミ受け本体４内にゴミを捕捉できるようになっている。更に言うと、この排水孔５はゴミ受け本体４の排水口内筒側面部４ａ２において隈なく行き亙るように多数設けられているが、排水孔５全体の開口面積が流入孔７全体の開口面積と略同等かそれ以上になるようにされている。しかして、キッチンシンク２０の排水のゴミ受け本体４内で流路面積が狭まることでの滞留を無くして排水口３へのスムーズな排水が確保されており、また、排水孔５全体の開口面積が流入孔７全体の開口面積よりも充分に大きければ、ゴミ受け本体４内に捕捉されたゴミにて排水孔５の一部が塞がれても、キッチンシンク２０の排水を他部位の排水孔５を通して排水口３へのスムーズな排水を可能にできる。
【００２１】
なお、ゴミ受け本体４内に捕捉されたゴミはゴミ受け本体４の筒底面４ｂ上に堆積されるのであるが、ゴミ受け本体４の筒底面４ｂは排水孔５等の孔の無い閉塞板状（本例では扁平円盤状）に形成されており、ゴミ受け本体４内に流れ込んだキッチンシンク２０の排水の勢いを一旦止めて筒側面４ａの排水口３から排水口３に排水させることができ、ゴミ受け本体４内で捕捉されたゴミがゴミ受け本体４内に流れ込んだキッチンシンク２０の排水の勢いを受けてゴミ受け本体４外に排出されてしまうことが防止されている。
【００２２】
また、本例のゴミ受け装置１には、ゴミ受け本体４の上方開口４ｃを閉塞する蓋体８が備えられており、ゴミ受け本体４内に捕捉したゴミをキッチンシンク２０の外観から隠匿できるようにされ、キッチンシンク２０に良好な外観を確保できるようになっている。この蓋体８は図２のように円盤状の蓋板１２の中央から上方に取っ手１３が突設されて構成されたものであり、ゴミ受け本体４の上方開口４ｃ縁（筒側面４ａの上端面）に蓋板１２の外縁を載置することで、ゴミ受け本体４の上方開口４ｃを蓋板１２で閉塞した状態で載置可能にされている。
【００２３】
そして、この蓋体８は上記ゴミ圧縮手段６を構成している。つまり、図１（ｂ）のように、ゴミ受け本体４の上方開口４ｃに載置した蓋体８は下方に押し込むことで、蓋板１２の一部が弾性変形をしてゴミ受け本体４内に圧入可能にされており、ゴミ受け本体４の筒底面４ｂ上に堆積したゴミを上方から押圧することが可能にされている。蓋体８や蓋板１２はその全体が弾性変形可能に形成されてもよいが、本例の蓋体８は、図２のように、蓋板１２の外周部１２ａが弾性変形可能な軟質材料１４で構成されると共に、取っ手１３を含む外周部１２ａ以外の部位が比較的弾性変形しない硬質材料１５で構成されている。しかして、本例の蓋体８を下方に押し込むと、蓋板１２の外周部１２ａをゴミ受け本体４の筒側面４ａの内表面に弾接状態でスライドさせて蓋板１２がゴミ受け本体４内に圧入されて、ゴミ受け本体４の筒側面４ａに付着するゴミも筒底面４ｂ上に掻き落とすようにでき、比較的硬質な外周部１２ａ以外の蓋板１２の部位によって、ゴミ受け本体４の筒底面４ｂ上に堆積したゴミを上方から強く押圧することが可能にされている。なお、ゴミ受け本体４内に圧入した蓋板１２は取っ手１３を摘んで上方に引っ張ることで引き上げられる。詳しくは、本例の軟質材料１４で成る蓋板１２の外周部１２ａは外方程薄肉になるひれ片状に形成されて弾性変形をし易くしており、蓋体８のゴミ受け本体４内でのスムーズな圧入・引き上げ動作が確保されている。
【００２４】
上記のように蓋体８でゴミ受け本体４の筒底面４ｂ上に堆積したゴミを上方から押圧することによると、ゴミ受け本体４の筒底面４ｂ上に堆積したゴミは蓋体８とゴミ受け本体４の筒底面４ｂとで挟持されて圧縮されるのであり、ゴミを押し固めて減容化できる。このとき本例のゴミ受け本体４の筒底面４ｂは従来技術にある排水孔５等の孔が無いので、蓋体８によってゴミ受け本体４の筒底面４ｂに押し付けられたゴミが筒底面４ｂに引っ掛かることが無いものである。しかして、上記減容化したゴミは、キッチンシンク２０の排水口３から露出するゴミ受け本体４の上部を掴んで該排水口３からゴミ受け本体４を取外し、蓋体８を外して開放状態にある上方開口４ｃを下方に向けるようにゴミ受け本体４をひっくり返すことで、ゴミ受け本体４の上方開口４ｃから落下させるようにしてゴミ受け本体４外に容易に除去できるようになっているのである。
【００２５】
ここで、本例のゴミ受け本体４の表面には撥水性処理を施してある。しかして、付与された撥水性によってゴミ受け本体４の表面へのゴミの付着が防止されており、ゴミ受け本体４からのゴミの除去性能を向上できる。なお、蓋体８の表面にゴミ受け本体４と同様に撥水性処理を施してもよい。
【００２６】
また、本例では、ゴミ受け本体４はその上部が排水口３の上縁よりも上方に位置するように排水口３内に取り付けるようにされているが、詳しくは、排水口３の上縁からゴミ受け本体４の上端までの突出高さＡを凹底面９の凹没深さＢに比べて長く形成してある（Ａ＞Ｂ）。これにより、水受け部材２の底面１１より上方位置にゴミ受け本体４の上方開口４ｃを位置させることができる。したがって、凹底面９上に溜まったゴミがゴミ受け本体４の排水口外筒側面部４ａ１に設けた流入孔７を塞いでしまっても、開放状態にあるゴミ受け本体４の上方開口４ｃから水受け部材２の排水をオーバーフローさせてゴミ受け本体４内に流入させることができて、水受け部材２の排水の良好な排水効率を確保できる。
【００２７】
上記実施形態では水受け部材２としてキッチンシンク２０を例示したが、水受け部材２としては洗面ボウルや浴室床パン等でも良く、ゴミ受け装置１は建物内外の様々な水廻りの排水口３に設置して使用できるのは言うまでもない。
【００２８】
また、上記実施形態ではゴミ圧縮手段６を蓋体８で構成していて装置構成の簡略化を図っているが、他の手段、たとえば別体の押し込み具１６（図３）などで構成してもよい。
【００２９】
また、上記実施形態ではゴミ受け本体４はその上部が排水口３の上縁よりも上方に位置するように排水口３内に取り付けているが、ゴミ受け本体４の上方開口４ｃを常時閉塞する蓋体８を用いずに上方開口４ｃから水受け部材２の排水をゴミ受け本体４内に流入させるようにすれば、ゴミ受け本体４をその上方開口４ｃが排水口３の上縁と略同高さ位置になるように排水口３に取り付けてもよく、この場合には流入孔７が要らないのでゴミ受け本体４の構成を簡略化できる。
【００３０】
また、上記実施形態ではゴミ受け本体４と別体にした蓋体８を用いているが、たとえばチェーンなどの連結具などを介してゴミ受け本体４に一体に設けるようにしてもよく、この場合には蓋体８の紛失を回避できるなどの効果を期待できる。
【図面の簡単な説明】
【００３１】
【図１】本発明の実施の形態の例のゴミ受け装置であり、（ａ）はゴミ受け装置の設置状態を示す一部切欠き断面斜視図であり、（ｂ）はゴミ受け装置の使用状態を示す一部を透視した斜視図である。
【図２】同上の蓋体の側断面図である。
【図３】ゴミ圧縮手段の他例を示す斜視図である。
【図４】従来技術の例のゴミ受け装置の側断面図である。
【符号の説明】
【００３２】
１  ゴミ受け装置
２  水受け部材
３  排水口
４  ゴミ受け本体
４ａ  筒側面
４ａ１  排水口外筒側面部
４ａ２  排水口内筒側面部
４ｂ  筒底面
４ｃ  上方開口
５  排水孔
６  ゴミ圧縮手段
７  流入孔
８  蓋体
９  凹底面
１１  底面
２０  キッチンシンク
【図１】
2009051646.tif 000003
【図２】
2009051646.tif 000004
【図３】
2009051646.tif 000005
【図４】
2009051646.tif 000006